(57)【要約】【課題】電話帳の新規登録時に登録項目の値が類似する場合、登録日時情報と登録位置情報を付加して暫定登録電話帳情報として電話帳に登録できる携帯通信端末装置を提供する。【解決手段】電話帳登録部１４は電話帳情報入力部１１で入力した電話帳情報１１０を日時情報取得部１２で取得した日時情報と位置情報取得部１３で取得した位置情報と共に暫定登録電話帳情報１２０として暫定登録用電話帳２１に登録するように構成する。これより、電話帳登録に余裕がない場合には、登録項目に類似の値があっても重複チェックを行わないため、短時間に電話帳に情報を登録することができる。一方、正式登録時には重複チェックが行われるため重複登録を防ぐことができる。さらに、暫定的に登録した電話帳情報を正式登録する場合には、登録時の日時情報や位置情報があるため記憶をたどりやすくなり、重複なく正確な登録ができる。【選択図】図５
2011250244.tif 000002
【特許請求の範囲】
【請求項１】
電話帳情報を記録する電話帳と、
電話帳情報を入力する電話帳情報入力部と、
日時情報を取得する日時情報取得部と、
位置情報を取得する位置情報取得部と、
前記電話帳情報入力部で入力した電話帳情報を前記日時情報取得部で取得した日時情報と前記位置情報取得部で取得した位置情報と共に電話帳に登録させる電話帳登録部と、
を備える携帯通信端末装置。
【請求項２】
前記電話帳は、第１の電話帳と第２の電話帳とを有し、
前記電話帳登録部は、前記第１の電話帳に電話帳情報を登録させる場合には電話帳情報の重複チェックを行い、前記第２の電話帳に電話帳情報を登録させる場合には電話帳情報の重複チェックを行わない
請求項１に記載の携帯通信端末装置。
【請求項３】
前記第２の電話帳に電話帳情報が登録されてから第１の期間経過後に、当該電話帳情報を前記第１の電話帳に登録させるよう報知を行う更新時期判断部を備える
請求項２に記載の携帯通信端末装置。
【請求項４】
前記更新時期判断部は、前記第２の電話帳に電話帳情報が登録されてから第１の期間よりも長期である第２の期間経過後経過後に、当該電話帳情報が前記第２の電話帳に登録されているときは、前記電話帳登録部に、当該電話帳情報を前記第１の電話帳に登録させる
請求項３に記載の携帯通信端末装置。
【請求項５】
前記電話帳情報入力部で電話帳情報を入力する際に、音声を入力する音声入力部を備え、
前記電話帳登録部は、前記電話帳情報入力部で入力した電話帳情報を前記音声入力部で入力した音声と共に前記第２の電話帳に登録させる
請求項２から請求項４のいずれか一項に記載の携帯通信端末装置。
【請求項６】
前記電話帳情報入力部で電話帳情報を入力する際に、音声を入力する音声入力部を備え、
前記電話帳登録部は、前記電話帳情報入力部で入力した電話帳情報を前記音声入力部で入力した音声と共に前記第２の電話帳に登録させ、
前記更新時期判断部は、前記第２の電話帳に電話帳情報が登録されてから第１の期間よりも長期である第２の期間経過後経過後に、当該電話帳情報が前記音声入力部で入力した音声と共に前記第２の電話帳に登録されているときは、前記電話帳登録部に、当該電話帳情報の氏名又は名称に前記音声入力部で入力した音声から抽出したキーワードを付加したものを前記第１の電話帳に登録させる
請求項４に記載の携帯通信端末装置。
【発明の詳細な説明】
【技術分野】
【０００１】
本発明は、電話帳機能を備えた携帯通信端末装置に関し、特に電話帳機能に暫定登録機能が備わった携帯通信端末装置に関するものである。
【背景技術】
【０００２】
携帯電子機器の多機能化に伴い、赤外線通信やメールなどのさまざまな手段で携帯通信端末の電話帳情報を登録、更新することが可能となってきている。しかしながら、既に電話帳に同じ名称で電話番号などが登録されている場合にも、同じ名称で電話帳に重複して登録されてしまい、後日、電話帳の情報を利用する際にどちらの登録情報を利用すべきか分からなくなるという問題があった。そこで、このような問題を解決するために、従来から重複登録を防ぐ技術が知られている。（例えば、特許文献１参照）
特許文献１によれば、新名称が登録名称と一致または一文字違いの場合、電話帳への登録をキャンセルするか、電話帳にそのまま登録するか、名称を変更して登録するかを選択するための確認機能が搭載されている。さらに、新名称と一致または一文字違いの場合、新名称と一致または一文字違いの登録名称の個数を計測した結果に１を加算した数字を付加して新名称にする自動機能もある。この２つの機能により重複登録を防止している。
【先行技術文献】
【特許文献】
【０００３】
【特許文献１】特開２００６−２１７５２７号公報
【発明の概要】
【発明が解決しようとする課題】
【０００４】
しかしながら、上記従来の特許文献１では、電話帳の新名称と登録済み名称とが一致または類似する場合、利用者が、重複した名称か、名称の誤入力かを判断し、新規登録のキャンセルや修正して登録または未修正で登録などの適切な処理を選択するが、電話帳登録に時間をかけられない時に、利用者が類似した項目があっても暫定的に登録したいと考えても、類似した項目がある場合には複数の確認を求められるため、登録に必要以上の時間が費やされてしまうという問題がある。
【０００５】
また、新名称と登録済み名称とが一致または類似する場合、利用者に確認せずに、新名称の後に一致または類似する名称の通し番号を付加して名称の重複登録を避けているが、名称の後に通し番号を自動的に付加した場合には、後日、利用者が登録情報を使用する際にどの情報を使ったらよいか分からなくなる問題がある。
【０００６】
本発明は、このような従来の問題に鑑みてなされたものであり、電話帳の新規登録時に登録項目の値が一致または類似する場合、登録日時情報と登録位置情報を付加して暫定登録電話帳情報として電話帳に登録できる携帯通信端末装置を提供するものである。
【課題を解決するための手段】
【０００７】
前記従来の課題を解決するため、本発明の携帯通信端末装置は、電話帳情報を記録する電話帳と、電話帳情報を入力する電話帳情報入力部と、日時情報を取得する日時情報取得部と、位置情報を取得する位置情報取得部と、前記電話帳情報入力部で入力した電話帳情報を前記日時情報取得部で取得した日時情報と前記位置情報取得部で取得した位置情報と共に電話帳に登録させる電話帳登録部と、を備えた構成を有する。
【０００８】
この構成により、電話帳に登録する際は登録情報の重複チェックは行わず、登録時の日時情報や位置情報と共に記憶することにより、電話帳登録に時間をかけられない時に、登録項目の値が一致または類似する場合であっても短時間に電話帳に情報を登録でき、かつ、正式登録時には登録日時情報や登録位置情報を参考に記憶をたどりやすくなり、正確な登録が可能となる。
【０００９】
また、前記電話帳は、第１の電話帳と第２の電話帳とを有し、前記電話帳登録部は、前記第１の電話帳（例えば、正式登録用フォルダ）に電話帳情報を登録させる場合には電話帳情報の重複チェックを行い、前記第２の電話帳（例えば、暫定登録用フォルダ）に電話帳情報を登録させる場合には電話帳情報の重複チェックを行わない構成を有する。
【００１０】
この構成により、電話帳登録に時間をかけられない場合には暫定登録用フォルダに登録することにより、登録項目の値が一致または類似する場合であっても登録情報の重複チェックを行わないため、短時間に電話帳に情報を登録することができる。一方、電話帳登録に時間をかけられる場合には正式登録用フォルダに登録することにより、重複チェックが行われ、類似する値がある場合には修正などを促すことにより重複登録を避けることができる。さらに、暫定用と正式用にフォルダを分けることにより、登録日時情報の有無を確認せずに暫定登録一覧を登録日時順に表示できるため修正したい電話帳情報を簡単に選択でき、修正作業が短時間で終わらせることが可能となる。
【００１１】
また、前記第２の電話帳に電話帳情報が登録されてから第１の期間経過後に、当該電話帳情報を前記第１の電話帳に登録させるよう報知を行う更新時期判断部を備えた構成を有する。
【００１２】
この構成により、一定時間経過すると正式登録するようにメール、アラーム、待受画面への表示などで通知して登録を促すことにより、暫定登録したことを忘れる前に、正式登録を催促されるため、後日、暫定登録した内容を正式登録する時に分からなくなるという状態を避けることができる。
【００１３】
また、前記更新時期判断部は、前記第２の電話帳に電話帳情報が登録されてから第１の期間よりも長期である第２の期間経過後経過後に、当該電話帳情報が前記第２の電話帳に登録されているときは、前記電話帳登録部に、当該電話帳情報を前記第１の電話帳に登録させる構成を有する。
【００１４】
この構成により、正式登録を促す通知をした後に正式登録されなかった場合は、さらに一定時間経過すると、暫定登録情報の名称に登録日時情報を付加して新しい名称に変更して自動に正式登録を行うことにより、重要ではない電話帳情報の場合には、正式登録の手間を省き、頻繁に正式登録を促す通知を自動的に停止させることができる。
【００１５】
また、前記電話帳情報入力部で電話帳情報を入力する際に、音声を入力する音声入力部を備え、前記電話帳登録部は、前記電話帳情報入力部で入力した電話帳情報を前記音声入力部で入力した音声と共に前記第２の電話帳に登録させる構成を有する。
【００１６】
この構成により、電話帳登録時に自動的に録音状態になり、登録作業中の会話や相手の口調などで相手を特定したり、登録作業を行いながら意図的に相手の特徴やキーワードなど音声で入力したりすることができるため、正式登録時に相手の特徴を明確に確認できるようになり、より正確に間違えることなく簡単に正式登録が可能となる。
【００１７】
また、前記電話帳情報入力部で電話帳情報を入力する際に、音声を入力する音声入力部を備え、前記電話帳登録部は、前記電話帳情報入力部で入力した電話帳情報を前記音声入力部で入力した音声と共に前記第２の電話帳に登録させ、前記更新時期判断部は、前記第２の電話帳に電話帳情報が登録されてから第１の期間よりも長期である第２の期間経過後経過後に、当該電話帳情報が前記音声入力部で入力した音声と共に前記第２の電話帳に登録されているときは、前記電話帳登録部に、当該電話帳情報の氏名又は名称に前記音声入力部で入力した音声から抽出したキーワードを付加したものを前記第１の電話帳に登録させる構成を有する。
【００１８】
この構成により、自動正式登録の際に、暫定登録情報に音声情報がある場合は音声情報から登録する名称の前後の言葉をキーワードとして抽出し、名称に付加して登録を行うため、正式登録時に電話帳に類似する項目がある場合には、暫定登録の名称に暫定登録時に録音した音声情報から自動抽出したキーワードが付加されるため、登録日時情報を付加する場合と比較して記憶をたどりやすくなり、間違うことなく電話帳情報を利用できる。
【発明の効果】
【００１９】
本発明の携帯通信端末装置によれば、電話帳に登録する際は登録情報の重複チェックは行わず、登録時の日時情報や位置情報と共に記憶することにより、電話帳登録に時間をかけられない時に、登録項目の値が一致または類似する場合であっても短時間にデータを登録でき、かつ、正式登録時には登録日時情報や登録位置情報を参考に記憶をたどりやすくなり、正確な登録が可能となる。
【図面の簡単な説明】
【００２０】
【図１】本発明の実施の形態１における携帯通信端末装置の構成図
【図２】本発明の実施の形態１における携帯通信端末装置の動作を説明するフローチャート
【図３】本発明の実施の形態１における携帯通信端末装置の正式登録時の重複チェック処理の動作を説明するフローチャート
【図４】本発明の実施の形態１における携帯通信端末装置の暫定登録情報更新時期を通知する動作を説明するフローチャート
【図５】本発明の実施の形態２における携帯通信端末装置の構成図
【図６】本発明の実施の形態２における携帯通信端末装置の動作を説明するフローチャート
【図７】本発明の実施の形態２における携帯通信端末装置の暫定登録情報更新時期を通知する動作を説明するフローチャート
【図８】本発明の実施の形態３における携帯通信端末装置の構成図
【図９】本発明の実施の形態３における携帯通信端末装置の動作を説明するフローチャート
【図１０】本発明の実施の形態４における携帯通信端末装置の暫定登録情報更新時期を通知する動作を説明するフローチャート
【発明を実施するための形態】
【００２１】
以下、本発明を実施するための形態について、図面を参照しながら説明する。なお、実施の形態を説明するための全図において、同一の構成要素には同一の符号を付与し、重複する説明は省略する。
【００２２】
（実施の形態１）
図１は、本発明の実施の形態１における携帯通信端末装置の構成図、図２は、同携帯通信端末装置の電話帳情報登録の動作を説明するフローチャート、図３は、同携帯通信端末装置の重複チェックの動作を説明するフローチャート、図４は、同携帯通信端末装置の更新時期判定および暫定登録電話帳情報自動正式登録の動作を説明するフローチャートである。
【００２３】
図１に示すように、携帯通信端末装置１は、電話帳情報入力部１１、日時情報取得部１２、位置情報取得部１３、電話帳情報登録部１４、電話帳１５、更新時期判定部１６、表示制御部１７、表示部１８を備える。携帯通信端末装置１としては、例えば、携帯電話機、ＰＤＡ、スマートフォンなどを含む。
【００２４】
電話帳情報入力部１１は、携帯端末のダイヤルボタン、赤外線通信などに代表されるものであり、登録する電話帳の名称や電話番号などの情報を入力して電話帳情報１１０として出力する。また、電話帳を更新する際には、電話帳１５より更新を行う該当の登録電話帳情報１６０を取得する。
【００２５】
日時情報取得部１２は、例えば時計などであり、日付と時刻情報である日時情報を取得する。
【００２６】
位置情報取得部１３は、例えばＧＰＳ受信部などであり、現在地の場所情報である位置情報を取得する。
【００２７】
電話帳情報登録部１４は、暫定登録の場合には、日時情報取得部１２より取得した日時情報を登録日時情報として、位置情報取得部１３より取得した位置情報を登録位置情報として電話帳情報１１０と共に暫定登録電話帳情報１２０として出力する。一方、正式登録の場合は、電話帳情報１１０を変更せず正式登録電話帳情報１３０として出力する。また、正式登録時は、電話帳１５に格納されているすべての正式登録電話帳情報１３０と登録項目の値が重複しているかの有無を確認し、重複項目がある場合には該当の登録項目の値を変更するかを利用者に確認する。さらに、更新時期判定部１６より自動正式登録指示１５０があった場合、かつ、重複項目がある場合には自動的に登録名称に登録日時を付加して正式登録電話帳情報１３０として出力する。
【００２８】
電話帳１５は、暫定登録電話帳情報１２０と正式登録電話帳情報１３０を格納する。
【００２９】
更新時期判定部１６は、定期的に電話帳１５に格納されている暫定登録電話帳情報１２０の有無を確認し、暫定登録電話帳情報１２０が格納されていた場合に電話帳１５から暫定登録電話帳情報１２０を読込み、暫定登録電話帳情報１２０の登録日時情報と日時情報取得部１２の日時情報とを比較して更新通知時期であるかを判定し、判定結果を更新時期通知指示１４０として出力する。更新時期通知指示１４０を通知後、一定期間経過しても正式登録がされていない場合には、該当の暫定登録電話帳情報１２０を自動的に正式登録するために電話帳情報登録部１４に自動正式登録指示１５０を出力する。
【００３０】
表示制御部１７は、電話帳情報の新規入力時や更新時には電話帳情報入力部１１から電話帳情報１１０を、電話をかける時には電話帳１５から登録電話帳情報１６０を取得し、更新時期通知時には更新時期判定部１６から更新時期通知指示１４０を取得して表示用の情報に変換して表示部１８に出力する。
【００３１】
表示部１８は、液晶ディスプレイや有機ＬＥディスプレイなどに代表される表示装置であり、表示制御部１７で生成した表示用情報などを表示する。
【００３２】
次に、本発明の実施の形態１について、その動作を、図２〜図４を用いて説明する。
【００３３】
図２は、本発明の実施の形態１における携帯通信端末装置１の電話帳情報登録の処理手順を示すフローチャートである。
【００３４】
図２に示すように、電話帳情報入力部１１から入力された電話帳情報入力および変更の指示に基づいて、電話帳情報変更の場合には、電話帳１５から該当の登録電話帳情報１６０を取得して、電話帳情報登録用の画面情報を表示部１８に表示するための指示を表示制御部１７に出力する（ステップＳ１０１）。
【００３５】
次に、電話帳情報入力部１１は、選択した電話帳の登録項目の値を入力し（ステップＳ１０２）、電話帳の登録項目の入力が完了するまで続ける（ステップＳ１０３：ＮＯ）。電話帳の登録項目の入力が完了したら（ステップＳ１０３：ＹＥＳ）、電話帳情報登録部１４は、入力した電話帳情報１１０を正式登録するか暫定登録するかを利用者に問合せ、利用者の選択結果に基づいて正式登録するかを判定する（ステップＳ１０４）。正式登録する場合（ステップＳ１０４：ＹＥＳ）は、電話帳情報１１０を電話帳１５のすべての正式登録電話帳情報１３０と登録項目の値が重複しているかの有無を確認して重複項目がある場合には登録項目の値を修正するなどの処理を行う（ステップＳ１０５）。登録する電話帳情報１１０に暫定登録用の登録日時情報と登録位置情報が付加されていない場合（ステップＳ１０６：ＮＯ）は、そのまま正式登録電話帳情報１３０として電話帳１５に格納するが（ステップＳ１０８）、登録する電話帳情報１１０に暫定登録用の登録日時情報と登録位置情報が付加されている場合（ステップＳ１０６：ＹＥＳ）、電話帳情報から登録日時情報と登録位置情報を削除して正式登録電話帳情報１３０として電話帳１５に格納する（ステップＳ１０７、ステップＳ１０８）。
【００３６】
一方、暫定登録する場合（ステップＳ１０４：ＮＯ）は、重複チェックの処理を行わず、電話帳情報登録部１４は、登録する電話帳情報に暫定登録用の登録日時情報と登録位置情報が付加されている場合（ステップＳ１０９：ＮＯ）は、暫定登録電話帳情報１２０として電話帳１５に格納する。一方、登録日時情報と登録位置情報が付加されていない場合（ステップＳ１０９：ＹＥＳ）は、日時情報取得部１２より取得した日時情報を登録日時情報とし、位置情報取得部１３より取得した位置情報を登録位置情報として電話帳情報１１０に付加して暫定登録電話帳情報１２０として電話帳１５に格納する（ステップＳ１１０、ステップＳ１１１）。
【００３７】
なお、電話帳１５から暫定登録電話帳情報１２０と正式登録電話帳情報１３０を検索する場合には、登録日時情報と登録位置情報の有無で判別し、登録日時情報、登録位置情報がある場合には暫定登録電話帳情報１２０と判定し、ない場合には正式登録電話帳情報１３０として判定する。
【００３８】
図３は、図２に示すフローチャートのステップＳ１０５で行われる正式登録時の重複チェック処理についてのフローチャートである。
【００３９】
図３に示すように、電話帳情報登録部１４は、電話帳情報入力部１１で入力や修正された電話帳情報１１０と電話帳１５のすべての正式登録電話帳情報１３０と比較し（ステップＳ１３１）、重複項目がない場合は処理を終了する（ステップＳ１３２：ＮＯ）。重複項目があり、利用者が重複項目の修正を行うと選択した場合（ステップＳ１３２：ＹＥＳ、ステップＳ１３３：ＹＥＳ）は、電話帳情報入力部１１で重複している登録項目の値を修正し（ステップＳ１３４）、全て重複項目の確認が完了したら終了（ステップＳ１３５：ＹＥＳ）し、完了していない場合（ステップＳ１３５：ＮＯ）にはステップＳ１３３に戻る。重複項目があるが、利用者が重複項目を修正しないと選択した場合（ステップＳ１３２：ＹＥＳ、ステップＳ１３３：ＮＯ）は、電話帳情報入力部１１で重複している登録項目の値を修正せずに、ステップＳ１３３に戻る。このように、重複項目の確認が完了するまで修正を繰り返す（ステップＳ１３３〜Ｓ１３５）。
【００４０】
なお、電話帳情報登録部１４での重複チェックでは登録項目の値が完全に一致した項目の有無を確認しているが、登録項目の値が類似している場合にも重複項目があったと判断しても良い。
【００４１】
なお、重複している登録項目の値を修正する時に、重複している値を表示部１８に表示することもできる。
【００４２】
図４は、本発明の実施の形態１における携帯通信端末装置１の更新時期判定部１６と電話帳情報登録部１４で行われる更新時期判定および暫定登録電話帳情報自動正式登録に関する処理手順である。
【００４３】
図４に示すように、更新時期判定部１６は、更新確認時期になると（ステップＳ１５１：ＹＥＳ）電話帳１５に格納されている暫定登録電話帳情報１２０の有無を確認して暫定登録がない場合には処理を終了する（ステップＳ１５２：ＮＯ）。暫定登録電話帳情報１２０がある場合には（ステップＳ１５２：ＹＥＳ）、一度、利用者に対して暫定登録電話帳情報１２０を正式登録するように通知した場合には、暫定登録電話帳情報１２０の登録日時情報と日時情報取得部１２で取得した日時情報を比較し、自動正式登録時期であると判断した場合は、電話帳情報登録部１４に自動正式登録指示１５０を出力する（ステップＳ１５３：ＹＥＳ）。電話帳情報登録部１４は、電話帳１５から暫定登録電話帳情報１２０を読込み（ステップＳ１５４）、電話帳１５の正式登録電話帳情報１３０と比較して重複項目がある場合（ステップＳ１５５：ＹＥＳ）、名称の後に登録日時情報を付加して新しい名称に変更し（ステップＳ１５６）、登録日時情報と登録位置情報を暫定登録電話帳情報１２０から削除して（ステップＳ１５７）、電話帳１５に正式登録電話帳情報１３０として登録する（ステップＳ１５８）。
【００４４】
一方、利用者に対して正式登録するように通知していない場合には（ステップＳ１５３：ＮＯ）、暫定登録電話帳情報１２０の登録日時情報と日時情報取得部１２で取得した日時情報を比較し、更新通知時期であると判断した場合（ステップＳ１５９：ＹＥＳ）は、利用者に対して該当の暫定登録電話帳情報１２０を正式登録するように通知するために、表示制御部１７に更新時期通知指示１４０を出力し、表示制御部１７は表示部１８に更新時期通知指示１４０を出力し（ステップＳ１６０）、暫定登録電話帳情報１２０の有無の確認のためにステップＳ１５２に戻る。更新通知時期でないと判断した場合にはステップＳ１５２に戻る（ステップＳ１５９：ＮＯ）。
【００４５】
このように、本発明の実施の形態１によれば、電話帳登録に時間をかけられない場合には登録項目の値が一致または類似する場合であっても、暫定登録する場合には登録情報の重複チェックを行わないため、短時間に電話帳に情報を登録することができる。また、暫定登録したことを忘れる前に正式登録を催促されるため後日暫定登録した情報がどのような情報であるか分からなくなることを防ぐことができる。さらに、正式登録時に暫定登録した情報に登録日時情報や登録位置情報が付加されているため暫定登録したときの記憶をたどりやすく、正確に正式登録することができる。さらに、正式登録を催促されても正式登録が行われなかった場合は自動的に正式登録することで、正式登録を促すアラームなどを抑制することが可能となる。さらに、暫定登録から自動的に正式登録する際に電話帳に登録項目の値が一致または類似する場合には、暫定登録の名称に暫定登録した日時情報が付加されるため、後日、自動的に登録された正式登録電話帳情報を修正しようとしたときに、名称を確認するだけで自動正式登録された情報であることが簡単に分かり、記憶をたどりやすくすることができ、正しく正式登録情報を修正することができる。さらに、名称に登録日時情報を付加するため名称が重複することはないという利点もある。
【００４６】
なお、電話帳情報入力部１１の説明として携帯端末のダイヤルボタンや赤外線通信と限定したが電話帳情報１１０を入力できる手段であれば装置は問わない。また、暫定登録電話帳情報１２０と正式登録電話帳情報１３０を同じ電話帳１５に格納したが、暫定登録用に記憶部を設けてもよい。さらに、暫定登録電話帳情報１２０の名称を変更せずに電話帳１５に格納したが、暫定登録時には名称を名称＿登録日時として重複を避ける方法をとっても良い。
【００４７】
なお、自動正式登録の際に同じ電話帳に登録したが、自動正式登録する場合に自動正式登録であることが分かるように自動正式登録グループのフォルダを新規に設けても良い。
【００４８】
なお、表示部１８の説明として液晶ディスプレイや有機ＬＥディスプレイと限定したが表示できる手段であれば装置は問わない。
【００４９】
（実施の形態２）
次に、本発明の実施の形態２について説明する。本発明の実施の形態２は、既に説明した本発明の実施の形態１の電話帳を第１の電話帳と第２の電話帳に分割した点に特徴がある。
【００５０】
図５は、本発明の実施の形態２における携帯通信端末装置の構成図、図６は、同携帯通信端末装置の電話帳登録の動作を説明するフローチャート、図７は、同携帯通信端末装置の更新時期判定の動作を説明するフローチャートである。
【００５１】
図５に示すように、携帯通信端末装置２００は、図１に示す本発明の実施の形態１における携帯通信端末装置１の構成の電話帳１５を暫定登録用電話帳２１と正式登録用電話帳２２に分割するように構成している。
【００５２】
暫定登録用電話帳２１は、電話帳情報登録部１４から出力された暫定登録電話帳情報１２０を格納する。
【００５３】
正式登録用電話帳２２は、電話帳情報登録部１４から出力された正式登録電話帳情報１３０を格納する。
【００５４】
更新時期判定部１６は、定期的に暫定登録用電話帳２１に格納されている暫定登録電話帳情報１２０の有無を確認し、暫定登録電話帳情報１２０が格納されていた場合に暫定登録用電話帳２１から暫定登録電話帳情報１２０を読込み、暫定登録電話帳情報１２０の登録日時情報と日時情報取得部１２の日時情報とを比較して更新通知時期であるかを判定し、結果を更新時期通知指示１４０として出力し、更新時期通知指示１４０の通知後、一定期間経過しても正式登録されなかった場合には、自動的に正式登録を行うために電話帳情報登録部１４に自動正式登録指示１５０を出力する。
【００５５】
次に、本発明の実施の形態２について、その動作を、図６〜図７を用いて説明する。
【００５６】
図６は、本発明の実施の形態２における携帯通信端末装置２００の電話帳情報登録の処理手順を示すフローチャートであり、図２からステップＳ１０６〜Ｓ１０７の処理を削除したものである。
【００５７】
図６に示すように、電話帳情報登録部１４は、電話帳情報１１０を正式登録する場合（ステップＳ１０４：ＹＥＳ）、電話帳情報１１０の重複チェックを行い（ステップＳ１０５）、登録する電話帳情報に暫定登録用の登録日時情報と登録位置情報が付加されている場合でも、登録日時情報と登録位置情報を削除することなく正式登録電話帳情報１３０として正式登録用電話帳２２に格納する（ステップＳ１０８）。
【００５８】
図７は、本発明の実施の形態２における携帯通信端末装置２００の更新時期判定部１６の処理手順であり、図４からステップＳ１５７の処理を削除したものであり、図４と異なる処理のみ説明する。
【００５９】
図７に示すように、更新時期判定部１６は、更新確認時期になると（ステップＳ１５１：ＹＥＳ）暫定登録用電話帳２１に格納されている暫定登録電話帳情報１２０の有無を確認する（ステップＳ１５２）。電話帳情報登録部１４は、暫定登録用電話帳２１から暫定登録電話帳情報１２０を読込み（ステップＳ１５４）、正式登録用電話帳２２の正式登録電話帳情報１３０と比較して重複項目がある場合（ステップＳ１５５：ＹＥＳ）、名称の後に登録日時を付加して新しい名称に変更し（ステップＳ１５６）、暫定登録用の登録日時情報と登録位置情報を削除することなく正式登録用電話帳２２に正式登録電話帳情報１３０として登録する（ステップＳ１５８）。
【００６０】
このように、本発明の実施の形態２によれば、本発明の実施の形態１では暫定登録用の登録日時情報や登録位置情報の有無にて暫定登録か正式登録かを判別していたが、電話帳を暫定登録用と正式登録用に分けることにより、暫定登録と正式登録の区別を容易にすることができ、さらに、暫定登録一覧表を登録日時順に簡単に表示できるため修正したい暫定登録電話帳情報１２０を簡単に選択できるため修正作業を短時間で完了させることが可能となる。
【００６１】
なお、正式登録時に暫定登録時に付加した登録日時情報と登録位置情報を処理の容易化のために削除しない説明したが、電話帳に格納する情報量を削減するために暫定登録時に付加した登録日時情報と登録位置情報を削除しても良い。
【００６２】
なお、暫定登録用電話帳２１と正式登録用電話帳２２を別々に持つように説明したが、同じ記憶媒体に暫定登録用フォルダと正式登録用フォルダのようにフォルダ分けをするなど暫定登録用と正式登録用に分ける手段であれば装置は問わない。
【００６３】
（実施の形態３）
次に、本発明の実施の形態３について説明する。本発明の実施の形態３は、既に説明した本発明の実施の形態１に音声入力部を加えた点に特徴がある。
【００６４】
図８は、本発明の実施の形態３における携帯通信端末装置の構成図、図９は、同携帯通信端末装置の電話帳情報登録の動作を説明するフローチャートである。
【００６５】
本発明の実施の形態３における表示制御装置は、図８に示すように、携帯通信端末装置３００は、図１に示す本発明の実施の形態１における携帯通信端末装置１の構成に加えて音声入力部３１を備える。また、電話帳情報入力部３２は、電話帳新規登録状況情報３１０を出力し、電話帳情報登録部３３は暫定登録電話帳情報３２０を出力し、電話帳３４は、暫定登録電話帳情報３２０と登録電話帳情報３４０を出力するように構成されている。
【００６６】
電話帳情報入力部３２は、現在、電話帳の新規登録中かを示す電話帳新規登録状況情報３１０を出力する。
【００６７】
音声入力部３１は、電話帳情報入力部３２から出力された電話帳新規登録状況情報３１０を基に、現在、電話帳の新規登録中であると判断した時点で自動的に音声の録音を開始し、電話帳情報の入力が完了した時点で録音を停止する。録音された音声はそのまま音声情報３３０として電話帳情報登録部３３に出力する。
【００６８】
電話帳情報登録部３３は、暫定登録の場合には、日時情報取得部１２で取得した登録日時情報と位置情報取得部１３で取得した登録位置情報と音声入力部で録音された音声情報３３０を電話帳情報１１０と共に暫定登録電話帳情報３２０として電話帳３４に出力する。
【００６９】
電話帳３４は、暫定登録電話帳情報３２０と正式登録電話帳情報１３０を格納し、暫定登録電話帳情報３２０と登録電話帳情報３４０を出力する。
【００７０】
次に、本発明の実施の形態３について、その動作を、図９を用いて説明する。
【００７１】
図９は、本発明の実施の形態３における携帯通信端末装置３００の電話帳情報登録の処理手順を示すフローチャートである。
【００７２】
図９に示すように、音声入力部３１は、電話帳情報入力部３２からの出力である電話帳新規登録状況情報３１０が新規登録中である場合に録音を開始する（ステップＳ３０１）。入力が完了すると自動的に録音終了となる（ステップＳ１０３：ＹＥＳ、ステップＳ３０２）。
【００７３】
次に、入力した電話帳情報１１０を正式登録する場合（ステップＳ１０４：ＹＥＳ）には、電話帳情報登録部１４は、正式登録時の重複チェック処理（ステップＳ１０５）の後に、登録する電話帳情報１１０に暫定登録用の登録日時情報と登録位置情報が付加されている場合（ステップＳ１０６：ＹＥＳ）、電話帳情報から登録日時情報と登録位置情報の削除（ステップＳ１０７）録音情報の破棄を行い（ステップＳ３０３）、正式登録電話帳情報１３０として電話帳３４に格納する（ステップＳ１０８）。
【００７４】
一方、暫定登録する場合（ステップＳ１０４：ＮＯ）には、電話帳情報登録部１４は、登録する電話帳情報に暫定登録用の登録日時情報と登録位置情報が付加されていない場合（ステップＳ１０９：ＹＥＳ）、登録日時情報と位置情報を付加した（ステップＳ１１０）後に、音声情報を暫定情報に付加して（ステップＳ３０４）、暫定登録電話帳情報３２０として電話帳３４に格納する（ステップＳ１１１）。
【００７５】
このように、本発明の実施の形態３によれば、電話帳登録時に自動的に録音状態になるため、登録作業中の会話が自動録音でき、さらに、登録作業中に意図的に相手の特徴やキーワードなどを録音できるため、正式登録時に、登録時に録音した内容や相手の口調などで相手を特定でき、また、意図的に録音した相手の特徴やキーワードでさらに相手を間違えることなく特定できるため、より正確に間違えることなく簡単に正式登録することができる。
【００７６】
（実施の形態４）
次に、本発明の実施の形態４について説明する。本発明の実施の形態４は、既に説明した本発明の実施の形態３の電話帳情報登録部３３の処理内容が異なる点に特徴がある。
【００７７】
図１０は、本発明の実施の形態４における携帯通信端末装置の更新時期判定および暫定登録電話帳情報自動正式登録の動作を説明するフローチャートであり、本発明の実施の形態４における携帯通信端末装置３００の更新時期判定部１６と電話帳情報登録部３３で行われる更新時期判定および暫定登録電話帳情報自動正式登録に関する処理手順である。
【００７８】
図１０に示すように、自動正式登録時期（ステップＳ１５３：ＹＥＳ）で暫定登録電話帳情報１２０に重複項目がある場合（ステップＳ１５４、ステップＳ１５５：ＹＥＳ）、電話帳情報登録部３３は、音声入力部３１の出力である音声情報３３０からキーワードを抽出する（ステップＳ４０１）。なお、キーワードを抽出するための音声情報は「キーワード  横浜」「キーワード  会社」などのように音声からキーワードを抽出しやすいように暫定登録の際に録音しておく。音声情報３３０からキーワードが抽出できた場合（ステップＳ４０２：ＹＥＳ）、名称の後にキーワードを付加する（ステップＳ４０３）。一方、キーワードが抽出できなかった場合（ステップＳ４０２：ＮＯ）は、名称の後に登録日時を付加する（ステップＳ１５６）。その後、正式登録するために、登録日時情報と位置情報、音声情報を暫定登録電話帳情報３２０から削除して電話帳３４に正式登録電話帳情報１３０として格納する（ステップＳ４０４、ステップＳ１５８）。
【００７９】
このように、本発明の実施の形態４によれば、暫定登録から自動的に正式登録する際に電話帳に登録項目の値が一致または類似する場合には、暫定登録の名称に暫定登録時に録音した音声情報から自動抽出したキーワードが付加されるため、後日、自動登録された正式登録情報を修正しようとしたときに、名称一覧表示した時に登録日時情報に比べ該当の名称を簡単に選択することができ、修正時にも記憶をたどりやすくすることができ、間違うことなく正式登録情報を修正することができる。
【００８０】
なお、キーワードを録音する際に「キーワード  横浜」と説明したが敬称の前後で自動的にキーワードを抽出したり、ポーズで挟まれた単語をキーワードにしたり、さまざま方法が考えられるため、キーワードを抽出できる方法があればどのような録音方法でもかまわない。
【産業上の利用可能性】
【００８１】
本発明にかかる携帯通信端末装置は、電話帳登録に余裕がない時に類似項目があっても登録時の日時情報や位置情報と共に記憶することにより短時間に登録でき、正式登録時には重複チェックが実施され、登録日時情報や登録位置情報を参考に記憶をたどりやすくなり、重複なく正確に正式登録ができるという効果を有し、携帯が可能であり電話帳やアドレス帳の機能を有する電子機器に有用である。
【符号の説明】
【００８２】
１、２００、３００    携帯通信端末装置
１１、３２    電話帳情報入力部
１２    日時情報取得部
１３    位置情報取得部
１４、３３    電話帳情報登録部
１５、３４    電話帳
１６    更新時期判定部
１７    表示制御部
１８    表示部
２１    暫定登録用電話帳
２２    正式登録用電話帳
３１    音声入力部
１１０    電話帳情報
１２０、３２０    暫定登録電話帳情報
１３０    正式登録電話帳情報
１４０    更新時期通知指示
１５０    自動正式登録指示
１６０、３４０    登録電話帳情報
３１０    電話帳新規登録状況情報
３３０    音声情報
【図１】
2011250244.tif 000003
【図２】
2011250244.tif 000004
【図３】
2011250244.tif 000005
【図４】
2011250244.tif 000006
【図５】
2011250244.tif 000007
【図６】
2011250244.tif 000008
【図７】
2011250244.tif 000009
【図８】
2011250244.tif 000010
【図９】
2011250244.tif 000011
【図１０】
2011250244.tif 000012